(57)【要約】【課題】チャック１が閉じる時に芯１１を後退させる恐れがなく、確実に芯１１を繰り出すことができるシャープペンシルを提供する。【解決手段】締具６に筒状の芯保持体７を一体に形成する。この芯保持体７はチャック８の頭部８Ａ内側に位置するとともに複数に分割されて形成される。更に、チャック８が後方に付勢されることによりチャック８の頭部８Ａが締具６に押圧されて閉じられ、このチャック８の閉じる力によって芯保持体７が閉じられ芯１１を強く保持する。【選択図】        図１
2005059523.tif 000002
【特許請求の範囲】
【請求項１】
スプリングにより長手方向後方に付勢されたチャックと、チャックが押圧される締具と、芯を適度の力で保持する芯ホルダーとからなり、締具に筒状の芯保持体を一体に形成し、該芯保持体はチャックの頭部内側に位置するとともに複数に分割されて形成され、チャックが後方に付勢されることによりチャックの頭部が締具に押圧されて閉じられ、このチャックの閉じる力によって芯保持体が閉じられて芯を強く保持することを特徴とするシャープペンシル。
【請求項２】
締具とチャックの当接部の少なくともどちらか一方にテーパー面を形成し、チャックが締具に押圧される時にチャックが閉じられるように構成したことを特徴とする請求項１記載のシャープペンシル。
【請求項３】
芯保持体の外周面を長手方向後方に行くに従って細径となるテーパー面としたことを特徴とする請求項１又は２記載のシャープペンシル。
【請求項４】
分割された芯保持部を合わせて筒状の芯保持体を構成するとともに、それぞれの芯保持部に連結された連結部を撓み可能に形成し、該連結部と締具を一体に構成したことを特徴とする請求項１乃至３のいずれかに記載のシャープペンシル。
【発明の詳細な説明】
【技術分野】
【０００１】
本発明は、チャックが後退して閉じる時に芯が後退しないシャープペンシルに関するものである。
【背景技術】
【０００２】
従来、チャックが締具に押圧されて閉じるシャープペンシルは、チャックで直接芯を保持していた。
【発明の開示】
【発明が解決しようとする課題】
【０００３】
解決しようとする課題は、チャックが締具に押圧されて閉じながら後退する時に、芯を若干後退させてしまうものであった。
特に、短くなった芯を次の芯で押しながら筆記を行う場合には、次の芯をチャックで保持する時の後退量だけ、短くなった芯と次の芯の間が離間し、芯を繰り出す度に短くなった芯がバウンドしてしまい、筆記を行う使用者にとっては非常に不快感を与えてしまうものであった。
【課題を解決するための手段】
【０００４】
本発明は、スプリングにより長手方向後方に付勢されたチャックと、チャックが押圧される締具と、芯を適度の力で保持する芯ホルダーとからなり、締具に筒状の芯保持体を一体に形成し、該芯保持体はチャックの頭部内側に位置するとともに複数に分割されて形成され、チャックが後方に付勢されることによりチャックの頭部が締具に押圧されて閉じられ、このチャックの閉じる力によって芯保持体が閉じられて芯を強く保持することを第１の要旨とする。
【０００５】
また、締具とチャックの当接部の少なくともどちらか一方にテーパー面を形勢し、チャックが締具に押圧される時にチャックが閉じるように構成したことを第２の要旨とする。
【０００６】
更に、芯保持体の外周面を長手方向後方に行くに従って細径となるテーパー面としたことを第３の要旨とする。
【０００７】
更にまた、分割された芯保持部を合わせて筒状の芯保持体を構成するとともに、それぞれの芯保持部に連結された連結部を撓み可能に形成し、該連結部と締具を一体に構成したことを第４の要旨とする。
【発明の効果】
【０００８】
本発明のシャープペンシルは、チャックが閉じる時に芯を後退させる恐れがなく、確実に芯を繰り出すことができるものである。
【０００９】
また、短くなった芯を次の芯で押しながら筆記を行う場合には、保持する時に短くなった芯と次の芯の間が離間する恐れがなく、短くなった芯がバウンドする恐れもないものである。
【発明を実施するための最良の形態】
【００１０】
締具と一体に形成された芯保持体が、チャックにより閉じられて芯を保持することにより、チャックあるいは芯保持体が閉じる時に芯が後退する恐れがないシャープペンシルを実現した。
【実施例】
【００１１】
図１及び図２により本発明の実施例を説明する。尚、図１の左側を前方とし右側を後方とする。口金１内に、短くなった芯２が回転しない程度の保持力で芯２を保持するゴム製の芯ホルダー３を取り付ける。この口金１を軸筒４の前部に螺合して取り付ける。また口金１の内段１Ａと軸筒４の前端との間にワッシャー５を挾持する。図３、図４および図５に示すように、円筒状の締具６の前端内側に、両側から中心方向に伸びて連結部６Ａが形成され、この連結部６Ａは若干撓み可能に形成される。半円筒形の芯保持部７Ａが合わさって円筒形の芯保持体７が構成され、芯保持体７の外周面は長手方向後方に行くに従って細径となるテーパー面７Ｂとなっている。また、それぞれの芯保持部７Ａの後部が前記連結部６Ａに一体に形成され、締具６、連結部６Ａ及び芯保持体７が合成樹脂の成形により一体に構成される。この締具６は前記口金１内に内蔵されるが、締具６は口金１の係止段１Ｂとワッシャー５の間を長手方向に摺動可能に内蔵されている。
【００１２】
前記締具６はチャック８の頭部８Ａに被せられ、チャック８の挾持部８Ｂが芯保持体７のテーパー面７Ｂの外側に位置する。このチャック８はコネクター９に圧入固着され、ワッシャー５とコネクター９の間にコイルスプリング１０が張架されている。従って、通常チャック８は長手方向後方に付勢され、チャック８の頭部８Ａ外周に形成されたテーパー面８Ｃが締具６の内面に押し付けられ、チャック８の頭部８Ａが閉じられてチャック８の挾持部８Ｂにより芯保持体７が内方に閉じられる。この芯保持体７により芯保持体７内を挿通している芯１１を強く保持する。更に、コネクター９には芯タンク１２が連結され、ノックを行うことにより芯１１が繰り出されるシャープペンシルの主要部が構成される。
【００１３】
上記以外の省略した構成は、従来知られているシャープペンシルと同様に構成される。
【００１４】
上記実施例において芯１１を繰り出す操作を説明すると、芯タンク１２を前進させることによりコイルスプリング１０を圧縮させてチャック８が前進する。すると、チャック８とともに締具６が前進し、芯保持体７に保持された芯１１が前進する。適宜前進すると、締具６が口金１の係止段１Ｂに当接して前進が停止されるが、チャック８は更に前進しチャック８の頭部８Ａが締具６から外れて拡開する。すると、チャック８の挾持部８Ｂによって閉じられていた芯保持体７も拡開し、図６に示したように芯１１を開放する。
【００１５】
次に芯タンク１２を押していた力を解除すると、コイルスプリング１０の弾力により芯タンク１２、コネクター９及びチャック８が後退する。先ず、締具６がワッシャー５に当接されて停止した後に、チャック８のテーパー面８Ｃが締具６の内面に押し付けられる。すると、チャック８の頭部８Ａが閉じられ、再びチャック８の挾持部８Ｂにより芯保持体７が閉じられ、図１の状態となって芯１１を強く保持する。この時、芯保持体７は停止した状態で閉じられるので、保持する芯１１を後退させる恐れは全くない。この状態で筆記が行われるが、芯１１に強い筆圧が生じた場合には、連結部６Ａが若干撓むために芯保持体７とともにチャック８が若干後退し、チャック８によるくさび作用がより強く働き、芯１１を強く保持するために芯２が後退して没入してしまう恐れはない。
【００１６】
また、使用中の芯２が短くなった場合でも、次の芯１１が芯保持体７内に落下し繰り出される為に、短くなった芯２は次の芯１１に押されて繰り出され、継続して筆記が行われる。また、次の芯１１を繰り出す時に、チャック８や芯保持体７が閉じたり拡開したりするが、この時、保持される芯１１が後退されないので、短くなった芯２と次の芯１１は常に密着しており、筆記を始める時に短くなった芯２がバウンドする恐れはなく常に次の芯１１によって押されている。また、短くなった芯２は芯ホルダー３により回転しない程度の保持力で保持されているので、筆記中に短くなった芯２が回転して筆記を妨げる恐れもない。したがって、この実施例においては芯残りが格段に少なくなり経済的であると共に、残芯がゴミとして発生する量が少なくなり環境的にも向上するものである。
【００１７】
尚、上記実施例はチャックの頭部外周にテーパー面が形成されているが、締具の内面にテーパー面を形成することも可能である。
【産業上の利用可能性】
【００１８】
芯を繰り出す時に芯が後退する恐れがないので、芯の繰り出しを確実に行うことができる。
【図面の簡単な説明】
【００１９】
【図１】本発明の実施例を示す主要部断面図である。（実施例）
【図２】図１のＡ−Ａ線を示す拡大断面図である。（実施例）
【図３】締具および芯保持体を示す拡大正面図である。（実施例）
【図４】図３のＡ−Ａ線を示す拡大断面図である。（実施例）
【図５】図３のＢ−Ｂ線を示す拡大断面図である。（実施例）
【図６】チャックが前進し、拡開した状態を示す主要部断面図である。（実施例）
【符号の説明】
【００２０】
２  芯
３  芯ホルダー
６  締具
６Ａ  締具６の連結部
７  芯保持体
７Ｂ  芯保持体７のテーパー面
８  チャック
８Ａ  チャック８の頭部
８Ｃ  チャック８のテーパー面
１０  コイルスプリング
１１  芯
【図１】
2005059523.tif 000003
【図２】
2005059523.tif 000004
【図３】
2005059523.tif 000005
【図４】
2005059523.tif 000006
【図５】
2005059523.tif 000007
【図６】
2005059523.tif 000008